(57)【要約】【課題】給湯システムにおいて、浴槽に取り付けられたアダプタの動作不良を確実に検出すること。【解決手段】ふろアダプタ３は、予め定められた温度（たとえば、８０℃）以上の温度の湯が浴槽１へ供給されることを抑制する。制御ユニット１００は、浴槽１へ予め定められた温度以上の湯が供給されたときに、ふろアダプタ３の上記機構によって浴槽１へ供給される湯の流速が低下したかどうかを検出する。制御ユニット１００は、当該流速の低下が検出できなかったと判断すると、異常用制御の一例として、ふろアダプタ３が正常に作動していないことを報知する。【選択図】図１
2016200332.tif 000002
【特許請求の範囲】
【請求項１】
浴槽に取り付けられたアダプタと、
前記アダプタを介して前記浴槽へ液体を供給する供給部と、
前記供給部によって前記浴槽へ供給される液体を加熱する加熱部と、
前記供給部によって前記浴槽へ供給される液体の流量を検出する検出部と、
前記供給部および前記加熱部の動作を制御する制御部とを備え、
前記アダプタは、前記浴槽へ予め定められた温度以上の液体が導入される場合、当該液体の流れを妨げ、
前記制御部は、前記検出部によって検出される流量が、前記供給部および前記加熱部に前記予め定められた温度以上の液体を前記浴槽へ供給させても、当該予め定められた温度未満の液体が前記浴槽へ供給されるときよりも低下しないと判断すると、異常用制御を実行する、給湯システム。
【請求項２】
前記制御部は、前記検出部によって検出された流量が一定の流量を下回った場合に前記加熱部による液体の加熱を停止させ、
前記アダプタは、
前記浴槽へ前記予め定められた温度以上の液体が導入される場合、当該液体の流量を低下させ、
前記浴槽へ導入される液体の温度が前記予め定められた温度を下回った場合に、当該液体の流量を上昇させ、
前記制御部は、前記浴槽へ特定の量の液体が供給される間に、前記検出部によって検出される流量が所定回数以上予め定められた流量以下にならなかったと判断したときに、前記異常用制御を実行する、請求項１に記載の給湯システム。
【請求項３】
前記供給部は、前記浴槽から送り出された液体を、前記加熱部で加熱した後、前記浴槽へ戻し、
前記制御部は、前記検出部によって検出される流量に基づいて前記供給部による前記浴槽から液体の送り出しおよび戻しが正常であるか否かを判断し、正常であると判断したことを条件として、前記異常用制御のための判断を実行する、請求項１または請求項２に記載の給湯システム。
【請求項４】
アダプタを取り付けられた浴槽に加熱された液体を供給する給湯システムの制御方法であって、
前記アダプタは、前記浴槽へ予め定められた温度以上の液体が導入される場合、当該液体の流れを妨げ、
前記予め定められた温度以上の液体を前記浴槽へ供給するステップと、
前記浴槽へ供給される液体の流量を検出するステップと、
前記予め定められた温度以上の液体が前記浴槽へ供給された場合に、当該予め定められた温度未満の液体が前記浴槽へ供給されるときよりも、前記浴槽へ供給される液体の流量が低下しないと判断すると、異常用制御を実行するステップとを備える、給湯システムの制御方法。
【発明の詳細な説明】
【技術分野】
【０００１】
この発明は、給湯システムに関し、より特定的には、アダプタを介して浴槽に給湯する給湯システムおよびその制御方法に関する。
【背景技術】
【０００２】
従来、浴槽への湯張りに際し、浴槽への高温の湯の供給態様について、種々提案がなされている。当該対策の一例は、湯温に応じた制御を実現するためのアダプタを、浴槽に取り付けることである。
【０００３】
たとえば、特開２００３−２７９１２９号公報（特許文献１）に開示された技術では、アダプタは、温度センサを含む。そして、当該アダプタを利用する給湯システムは、当該温度センサの検出温度が所定の温度以上であれば差し湯温度を低くする。
【０００４】
特許第５１７６５８６号公報（特許文献２）に開示された技術では、アダプタは、２つの流路（バブル用の流路と追焚噴流用の流路）を有し、給湯温度に応じて浴槽に湯を供給する流路を切り替える。具体的には、アダプタは、浴槽にバブルに適した温度の湯を供給する場合には、バブル用の流路を介して湯を供給し、給湯温度が高温の場合には、追焚噴流用の流路を介して湯を供給する。
【先行技術文献】
【特許文献】
【０００５】
【特許文献１】特開２００３−２７９１２９号公報
【特許文献２】特許第５１７６５８６号公報
【発明の概要】
【発明が解決しようとする課題】
【０００６】
しかしながら、従来の技術では、アダプタの動作不良については十分検討されていなかった。
【０００７】
本開示は、上述のような問題点を解決するためになされたものであって、その目的は、給湯システムにおいて、浴槽に取り付けられたアダプタの動作不良を確実に検出することである。
【課題を解決するための手段】
【０００８】
本開示のある局面に従うと、浴槽に取り付けられたアダプタと、アダプタを介して浴槽へ液体を供給する供給部と、供給部によって浴槽へ供給される液体を加熱する加熱部と、供給部によって浴槽へ供給される液体の流量を検出する検出部と、供給部および加熱部の動作を制御する制御部とを備え、アダプタは、浴槽へ予め定められた温度以上の液体が導入される場合、当該液体の流れを妨げ、制御部は、検出部によって検出される流量が、供給部および加熱部に予め定められた温度以上の液体を浴槽へ供給させても、当該予め定められた温度未満の液体が浴槽へ供給されるときよりも低下しないと判断すると、異常用制御を実行する、給湯システムが提供される。
【０００９】
好ましくは、制御部は、検出部によって検出された流量が一定の流量を下回った場合に加熱部による液体の加熱を停止させ、アダプタは、浴槽へ予め定められた温度以上の液体が導入される場合、当該液体の流量を低下させ、浴槽へ導入される液体の温度が予め定められた温度を下回った場合に、当該液体の流量を上昇させ、制御部は、浴槽へ特定の量の液体が供給される間に、検出部によって検出される流量が所定回数以上予め定められた流量以下にならなかったと判断したときに、異常用制御を実行する。
【００１０】
好ましくは、供給部は、浴槽から送り出された液体を、加熱部で加熱した後、浴槽へ戻し、制御部は、検出部によって検出される流量に基づいて供給部による浴槽から液体の送り出しおよび戻しが正常であるか否かを判断し、正常であると判断したことを条件として、異常用制御のための判断を実行する。
【００１１】
本開示の他の局面に従うと、アダプタを取り付けられた浴槽に加熱された液体を供給する給湯システムの制御方法が提供される。アダプタは、浴槽へ予め定められた温度以上の液体が導入される場合、当該液体の流れを妨げる。当該制御方法は、予め定められた温度以上の液体を浴槽へ供給するステップと、浴槽へ供給される液体の流量を検出するステップと、予め定められた温度以上の液体が浴槽へ供給された場合に、当該予め定められた温度未満の液体が浴槽へ供給されるときよりも、浴槽へ供給される液体の流量が低下しないと判断すると、異常用制御を実行するステップとを備える。
【発明の効果】
【００１２】
本開示に従った給湯システムでは、アダプタは、浴槽へ予め定められた温度以上の液体（たとえば、湯、または、水）が導入される場合には当該液体の流れを妨げる。検出部は、浴槽へ供給される液体の流速を検出する。制御部は、予め定められた温度以上の液体が浴槽へ供給されたときに、浴槽へ供給される液体の流速が、当該予め定められた温度未満の液体が供給されるときよりも低下しなければ、異常用制御を実行する。つまり、異常用制御は、浴槽へ予め定められた温度以上の液体が導入されたにも拘わらずアダプタが当該液体の流れを妨げなかった場合に、実行される。これにより、アダプタの動作不良が放置される事態が回避される。
【図面の簡単な説明】
【００１３】
【図１】本開示の給湯システムの第１の実施の形態の構成を示す図である。
【図２】ふろアダプタの外観を示す図である。
【図３】ふろアダプタのカバー内の構成を示す図である。
【図４】図３のアダプタ本体の縦断面を示す図である。
【図５】図４に記載された形状から変化した後の、感温バネの形状を示す図である。
【図６】給湯器の制御ユニットのハードウェア構成の一例を示す図である。
【図７】入力装置に試運転の指示が入力されたときに実行される処理のフローチャートである。
【図８】第２の実施の形態の給湯システムの構成を示す図である。
【図９】循環アダプタの外観を示す図である。
【図１０】循環アダプタの縦断面を示す図である。
【図１１】循環アダプタの縦断面を示す図である。
【図１２】第２の実施の形態の給湯システムのハードウェア構成の一例を示す図である。
【図１３】第２の実施の形態の給湯システムにおいて、給湯器と浴槽との間の湯の循環の試運転のために実行される処理のフローチャートである。
【図１４】第３の実施の形態の湯張りのために実行される処理のフローチャートである。
【発明を実施するための形態】
【００１４】
本開示の給湯システムの実施の形態について図面を参照して詳細に説明する。なお、以下では、図中の同一または相当部分には同一符号を付して、その説明は原則的に繰返さないものとする。
【００１５】
本明細書では、給湯システムを構成する給湯器から浴槽へ供給されるものおよび当該給湯器と浴槽との間を循環されるものは、湯である場合もあれば、湯と呼べる程度まで加熱されていない水である場合もある。そこで、本明細書では、給湯器から浴槽へ供給されるものおよび給湯器と浴槽との間を循環されるものを「液体」と称する場合がある。
【００１６】
［第１の実施の形態］
（１．開示の概要）
図１は、本開示の給湯システムの第１の実施の形態の構成を示す図である。図１には、給湯システム１０と浴槽１とが示されている。
【００１７】
給湯システム１０は、給湯器２とふろアダプタ３とを含む。ふろアダプタ３は、浴槽１の壁面に取付けられている。給湯器２は、熱交換器２１と加熱装置２２とを備える。加熱装置２２は、熱交換器２１内の水を加熱する。給湯器２に供給された水道水は、熱交換器２１で加熱された後、浴槽１へ供給される。
【００１８】
ふろアダプタ３は、予め定められた温度（たとえば、８０℃）以上の温度の湯が浴槽１へ供給されることを抑制する。具体的には、ふろアダプタ３は、予め定められた温度以上の温度の湯が浴槽１へ供給されることによって当該ふろアダプタ３の温度が高くなると、当該湯の流速を低下させる機構を有する。
【００１９】
給湯器２は、給湯システム１０の動作を制御する制御ユニット１００と、給湯器２を介して浴槽１へ導入される水（湯）の流速を検出する流量センサ２３と、浴槽１へ供給される湯の温度を検出する温度センサ２９とを備える。
【００２０】
制御ユニット１００は、浴槽１へ予め定められた温度以上の湯が供給されたときに、ふろアダプタ３の上記機構によって浴槽１へ供給される湯の流速が低下したかどうかを検出する。そして、制御ユニット１００は、当該流速の低下が検出できなかったと判断すると、異常用制御の一例として、ふろアダプタ３が正常に作動していないことを報知する。
【００２１】
（２．給湯システムの構成）
図１に示された給湯システム１０の構成を、より詳細に説明する。
【００２２】
給湯器２は、水道水を熱交換器２１に導入するための管２０１と、熱交換器２１から湯を送るための２本の管２１１，２２１とを備える。管２０１には、水道から、一定の水圧で、水が供給される。管２１１は、浴槽１に向けて湯を送る。管２２１は、浴室内の蛇口（図示略）に向けて湯を送る。また、給湯システム１０は、給湯器２からふろアダプタ３へ湯を送る管２５０を備える。
【００２３】
給湯器２は、管２１１上の湯の流速を調整するための電磁弁２４を備える。制御ユニット１００は、温度センサ２９によって検出される湯の温度が適切な温度になったことに応じて、電磁弁２４を開き、浴槽１へ湯を供給する。
【００２４】
（３．ふろアダプタの構成）
図２〜図５を参照して、ふろアダプタ３の構成を説明する。
【００２５】
まず、図２は、ふろアダプタ３の外観を示す図である。図２に示されるように、ふろアダプタ３の外殻は、カバー３０によって覆われている。
【００２６】
図３は、ふろアダプタ３のカバー３０内の構成を示す図である。図３に示されるように、ふろアダプタ３は、カバー３０の内部に、アダプタ本体３１と、連通ノズル３２とを備える。連通ノズル３２は、管２５０（図１参照）に接続されている。給湯器２（図１参照）から供給される湯は、管２５０および連通ノズル３２を介してアダプタ本体３１へ導入され、その後、浴槽１へ導入される。
【００２７】
図４は、図３のアダプタ本体３１の縦断面を示す図である。図４に示されるように、アダプタ本体３１の上部には、キャップ３０７が設けられている。また、アダプタ本体３１の内部には、可動軸３１２と、当該可動軸３１２に固定された止水弁３１３とが設けられている。
【００２８】
アダプタ本体３１の内部には、連通ノズル３２から導入される湯が通過する空間として、吸込流路３０１、中間流路３０２、および、吐出流路３０３が形成されている。吸込流路３０１は、中間流路３０２と連通され、また、中間流路３０２は、吐出流路３０３と連通されている。図４では、アダプタ本体３１と連通ノズル３２（図３参照）との結合部分が、連通口３００として示されている。
【００２９】
アダプタ本体３１では、連通ノズル３２から導入された湯は、連通口３００を介して、吸込流路３０１へ導入される。吸込流路３０１へ導入された湯は、中間流路３０２、および吐出流路３０３を介して、浴槽１へ導入される。矢印Ｆは、吐出流路３０３から浴槽１へ導入される湯の流れを示す。
【００３０】
ふろアダプタ３は、さらに、可動軸３１２に取り付けられたバイアスバネ３１５と感温バネ３１６とを含む。バイアスバネ３１５は、可動軸３１２を、上方（図４中の矢印Ａ１の向き）に付勢する。感温バネ３１６は、可動軸３１２を下方（図４中の矢印Ａ２の向き）に付勢する。
【００３１】
感温バネ３１６は、上記した予め定められた温度で変形する材料（たとえば形状記憶合金）によって構成される。図５は、図４に記載された形状から変化した後の、感温バネ３１６の形状を示す図である。
【００３２】
図４に示された形状と比較して、図５に示された感温バネ３１６の形状は、その上下方向の寸法を短縮されている。感温バネ３１６の温度が予め定められた温度以上になったことによって生じる短縮する力は、バイアスバネ３１５が可動軸３１２を上方に付勢する力よりも大きい。これにより、感温バネ３１６の温度が予め定められた温度以上になると、図５に示されたように、感温バネ３１６の上下方向の寸法が短くなり、可動軸３１２が下方へと変位する。
【００３３】
可動軸３１２の下方への変位に伴って、止水弁３１３は、下方へ変位し、吸込流路３０１と中間流路３０２との境界を閉塞する。これにより、連通ノズル３２および連通口３００を介して吸込流路３０１に湯が導入されても、当該湯は、中間流路３０２への流れが妨げられる。
【００３４】
なお、ふろアダプタ３では、感温バネ３１６の温度が予め定められた温度未満になれば、感温バネ３１６の形状は図４に示された状態へと戻る。
【００３５】
以上、主に図４および図５を参照して説明されたように、ふろアダプタ３は、予め定められた温度以上の温度の湯が導入された場合、感温バネ３１６の温度が上昇することによって当該感温バネ３１６の形状が変化し、これにより、浴槽１への湯の供給を妨げる。
【００３６】
（４．給湯システムのハードウェア構成）
図６は、給湯器２の制御ユニット１００のハードウェア構成の一例を示す図である。図６に示されるように、制御ユニット１００は、ＣＰＵ（Central  Processing  Unit）１０１と、入力装置１０２と、表示装置１０３と、記憶装置１０４とを含む。
【００３７】
ＣＰＵ１０１は、プログラムを実行することにより、給湯システム１０の動作を制御する。ＣＰＵ１０１は、流量センサ２３から流速の検出値を取得し、また、温度センサ２９から温度の検出値を取得する。ＣＰＵ１０１は、また、加熱装置２２および電磁弁２４を制御する。
【００３８】
入力装置１０２は、外部からの指示の入力を受け付ける。入力装置１０２の一例は、操作ボタンである。
【００３９】
表示装置１０３は、情報を表示する。表示装置１０３の一例は、液晶表示装置であり、他の例は、ＬＥＤ（Light  Emitting  Diode）ランプである。
【００４０】
ＣＰＵ１０１は、入力装置１０２を介して入力された指示に基づいた処理を実行することができ、さらに、処理の実行の結果を表示装置１０３に表示することができる。
【００４１】
記憶装置１０４は、ＣＰＵ１０１によって実行されるプログラムや、当該プログラムの実行において利用されるデータ（たとえば、後述する「最低注湯量回数」のカウント値）を記憶する。なお、ＣＰＵ１０１によって実行されるプログラムは、記憶装置１０４に格納される代わりに、給湯器２に対して着脱可能な記録媒体に格納されていてもよい。プログラムは、当該記録媒体に、非一時的に格納される。
【００４２】
（５．加熱装置による加熱制御）
加熱装置２２は、バーナ、および、当該バーナにガスや空気を提供する機構を含む。ＣＰＵ１０１は、当該機構を制御することにより、加熱装置２２による加熱動作を制御する。より具体的には、ＣＰＵ１０１は、所定の弁の開閉を制御して、当該バーナへのガスの供給量を制御し、当該バーナへの空気の供給量（たとえば、バーナ近傍に配置されたファンの回転数）を調整することにより、加熱装置２２による加熱動作を制御する。
【００４３】
ＣＰＵ１０１は、熱交換器２１へ導入される水の流速が低下した場合には、加熱装置２２の加熱動作を停止する。より具体的には、ＣＰＵ１０１は、たとえば流量センサ２３によって検出される流速が一定量（たとえば、３．０Ｌ／分）を下回った場合には、加熱装置２２の加熱動作を停止する。
【００４４】
（６．ふろアダプタの挙動と加熱装置の加熱動作）
ふろアダプタ３に予め定められた温度（たとえば、８０℃）以上の湯が導入されると、図５において示されたように、止水弁３１３は、吸込流路３０１と中間流路３０２との境界を閉じる。これにより、給湯システム１０における給湯経路（管２０１、管２１１、管２５０、吸込流路３０１、中間流路３０２、および吐出流路３０３）全体の、湯（水）の流速が低下する。
【００４５】
制御ユニット１００のＣＰＵ１０１は、上記給湯経路における流速が低下すると（上記した一定量を下回ると）、加熱装置２２の加熱動作を停止する。
【００４６】
浴槽１においてふろアダプタ３が浸らない程度にしか液体（湯または水）が貯留されない状態で、上記給湯経路の流速の変化に応じた加熱装置２２の加熱動作のＯＮ／ＯＦＦの切り替えによって、浴槽１に予め定められた温度以上の湯が連続的に供給されると、当該給湯システム１０の状態が、次の状態（１）〜状態（４）の間で循環するように（つまり、状態（１）、状態（２）、状態（３）、状態（４）、状態（１）、…）変化する。
【００４７】
状態（１）：給湯経路→開／加熱動作→ＯＮ
状態（２）：給湯経路→閉／加熱動作→ＯＮ
状態（３）：給湯経路→閉／加熱動作→ＯＦＦ
状態（４）：給湯経路→開／加熱動作→ＯＦＦ
上記「状態（１）」等の記述において、「給湯経路」は、止水弁３１３による給湯経路の開閉を示す。「給湯経路→開」は、図４に示されたように、止水弁３１３が給湯経路を閉じていない状態を表わす。「給湯経路→閉」は、図５に示されたように、止水弁３１３が給湯経路を閉じている状態を表わす。
【００４８】
上記「状態（１）」等の記述において、「加熱動作」は、加熱装置２２による加熱のＯＮまたはＯＦＦの状態を表わす。「加熱動作→ＯＮ」は、加熱装置２２が、熱交換器２１において、給湯経路内の水を加熱している状態を表わす。「加熱動作→ＯＦＦ」は、加熱装置２２が、（給湯経路における流速の低下によって）熱交換器２１における水の加熱を停止している状態を表わす。以下、給湯システム１０における、状態（１）〜状態（４）の間の循環について説明する。
【００４９】
まず、浴槽１への給湯の開始時、給湯システム１０の状態は、「状態（１）」である。
その後、浴槽１へ予め定められた温度以上の湯が供給されることにより、図５に示されたように、ふろアダプタ３の止水弁３１３が、給湯経路を閉じる。これにより、給湯システム１０は、「状態（２）」に移行する。
【００５０】
給湯回路が閉じられることにより、給湯回路における流速が低下する。これにより、給湯システム１０は、「状態（３）」に移行する。
【００５１】
なお、図５に示された状態においても、止水弁３１３は、給湯経路を完全には遮断しない。図５に示された状態においても、少量の湯（水）が、吸込流路３０１から中間流路３０２へと流れる。つまり、止水弁３１３による給湯経路の遮断によって加熱装置２２の加熱動作が停止している間も、中間流路３０２には、少量の水が供給され続ける。
【００５２】
加熱装置２２の加熱動作が停止している間、熱交換器２１を通過した水が中間流路３０２に流れ込むことにより、当該中間流路３０２の近傍に位置する感温バネ３１６の温度が低下する。感温バネ３１６の温度が上記された予め定められた温度を下回ると、感温バネ３１６の状態が、図５に示された状態から図４に示された状態に戻る。これにより、給湯システム１０は、「状態（４）」に移行する。
【００５３】
感温バネ３１６の状態が、図４に示された状態に戻ることにより、給湯経路における流速が増加する。給湯経路内の流速が上記された一定量以上に増加すると、ＣＰＵ１０１は、加熱装置２２の加熱動作を再開する。これにより、給湯システム１０は、「状態（１）」に移行する。
【００５４】
そして、浴槽１への給湯が継続されると、給湯システム１０の状態は、状態（１）、状態（２）、状態（３）、状態（４）、状態（１）…の順に変化し続ける。
【００５５】
（７．処理の流れ）
入力装置１０２は、ふろアダプタ３による動作を確認するための試運転の指示の入力を受付ける。試運転では、予め定められた温度以上の湯が、特定の量（たとえば、２０Ｌ）、浴槽１へ供給される。図７は、入力装置１０２に試運転の指示が入力されたときにＣＰＵ１０１によって実行される処理のフローチャートである。
【００５６】
図７を参照して、まず、ステップＳ１０で、ＣＰＵ１０１は、加熱装置２２による加熱動作を開始する。そして、制御は、ステップＳ２０へ進められる。
【００５７】
ステップＳ２０で、ＣＰＵ１０１は、電磁弁２４を開くことにより、浴槽１への給湯を開始する。そして、制御は、ステップＳ３０へ進められる。浴槽１へは、予め定められた温度の湯が供給される。
【００５８】
ステップＳ３０で、ＣＰＵ１０１は、流量センサ２３によって検出される流速が、第１の量（たとえば、１．０Ｌ／分）以下となったか否かを判断する。第１の量は、水道水が流量センサ２３が設置される管２０１に供給された際に弁等によって阻害されることなく流れる流速よりも小さい値である。そして、ＣＰＵ１０１は、当該流速が第１の量以下となったと判断すると（ステップＳ３０でＹＥＳ）、ステップＳ４０へ制御を進める。一方、ＣＰＵ１０１は、当該流速が第１の量を超えていると判断すると（ステップＳ３０でＮＯ）、ステップＳ５０へ制御を進める。
【００５９】
ステップＳ４０で、ＣＰＵ１０１は、記憶装置１０４に格納されている「最低注湯量回数」のカウンタのカウント値を１加算更新する。そして、制御は、ステップＳ５０へ進められる。なお、図７の処理の開始時には、当該カウンタのカウント値は「０」に初期化されている。
【００６０】
ステップＳ５０で、ＣＰＵ１０１は、高温差し湯を終了する条件が成立したか否かを判断する。当該条件の一例は、ステップＳ１０の制御が開始された後、流量センサ２３によって検出された流速の積算値（流量）が上記した特定の量に達したことである。ＣＰＵ１０１は、当該条件が成立したと判断すると（ステップＳ５０でＹＥＳ）、ステップＳ７０へ制御を進める。一方、ＣＰＵ１０１は、まだ高温差し湯を終了する条件が成立していないと判断すると（ステップ５０でＮＯ）、ステップＳ６０へ制御を進める。
【００６１】
ステップＳ６０で、ＣＰＵ１０１は、流量センサ２３によって検出された流速が第２の量（たとえば、３．０Ｌ／分）以上となったか否かを判断する。そして、ＣＰＵ１０１は、当該流速が第２の量以上となったと判断すると（ステップＳ６０でＹＥＳ）、ステップＳ３０へ制御を戻す。一方、ＣＰＵ１０１は、まだ当該流速が第２の量に達していないと判断すると（ステップＳ６０でＮＯ）、ステップＳ５０へ制御を戻す。
【００６２】
制御がステップＳ３０からステップＳ６０へ進み、さらにステップＳ３０へ戻ることは、給湯システム１０の状態が上記した「状態（１）」〜「状態（４）」の間で変更することに対応する。ここで、図７の処理を、上記した「状態（１）」〜「状態（４）」と関連付けて説明する。
【００６３】
図７の処理の開始時には、給湯システム１０の状態は「状態（１）」（給湯経路→開／加熱動作→ＯＮ）である。そして、ステップＳ２０において高温差し湯が開始されると、感温バネ３１６の形状が図５に示された形状へと変化し、これにより、給湯システム１０は、状態（２）（給湯経路→閉／加熱動作→ＯＮ）へ移行する。これにより、給湯経路における流速が低下する。給湯経路における流速が第１の量まで低下すると、ステップＳ３０からステップＳ４０へ制御が移行される。
【００６４】
給湯システム１０が状態（２）に移行すると、給湯経路における流速の低下のため、加熱装置２２の加熱動作が停止し、これにより、給湯システム１０は状態（３）（給湯経路→閉／加熱動作→ＯＦＦ）へ移行する。
【００６５】
状態（３）に移行した後、感温バネ３１６の形状が図４に示された形状へと戻り、これにより、給湯システム１０は状態（４）に移行する。給湯システム１０が状態（４）に移行すると、給湯経路における流速は上昇する。当該流速が第２の量まで回復すると、制御は、ステップＳ６０からステップＳ３０に戻される。
【００６６】
図７の処理に戻って、ステップＳ５０において高温差し湯を終了する条件が成立したと判断すると、ステップＳ７０で、ＣＰＵ１０１は、最低注湯量回数のカウント値が、所定値以上であるか否かを判断する。そして、ＣＰＵ１０１は、当該カウンタのカウント値が所定値以上であると判断すると（ステップＳ７０でＹＥＳ）、ステップＳ８０へ制御を進める。一方、ＣＰＵ１０１は、当該カウント値が所定値未満であると判断すると（ステップＳ７０でＮＯ）、ステップＳ９０へ制御を進める。
【００６７】
ステップＳ８０で、ＣＰＵ１０１は、当該試運転の後に実行される通常の制御（通常ふろ試運転）へ制御を移行させて、図７の処理を終了させる。
【００６８】
一方、ステップＳ９０で、ＣＰＵ１０１は、ふろアダプタ３が正常に動作しないことを、表示装置１０３に表示（報知）して、図７の処理を終了する。
【００６９】
以上説明された図７の処理では、給湯システム１０の状態が、状態（１）〜状態（４）まで変更するたびに、最低注湯量回数のカウンタが１加算更新される。当該カウンタの値が所定値以上であることは、浴槽１に特定の量だけ給湯される間に、状態（１）から状態（４）までの変化が所定回数以上生じたことを意味する。そして、図７の処理では、ステップＳ７０において、当該カウンタの値が所定値以上であるかどうかを判断することにより、給湯システム１０において、ふろアダプタ３が高温の湯の供給に対して正常に機能し、かつ、そのことが正常に検出されているかどうかが判断される。
【００７０】
当該カウンタの値が所定値以上であれば（ステップＳ７０でＹＥＳ）、ふろアダプタ３は正常に機能し、かつ、ＣＰＵ１０１はそのことを検出できている。一方、当該カウンタの値が所定値未満であれば（ステップＳ７０でＮＯ）、ふろアダプタ３に関する何らかの異常（たとえば、ふろアダプタ３自体の給湯経路の切替機能の異常、流量センサ２３や温度センサ２９の不良）が、給湯システム１０において生じている。後者の場合、ステップＳ９０において、システムの異常が報知される。
【００７１】
当該異常の報知は、給湯システム１０における異常用制御の一例である。異常用制御の他の例は、制御ユニット１００への電力の供給を停止するなど、給湯システム１０の使用を強制的に停止することである。異常用制御は、ユーザに異常を認識させ、そのまま給湯システム１０を使用することを回避するような制御であれば、他のいかなる態様の制御であってもよい。
【００７２】
給湯システム１０では、ふろアダプタ３に関する何らかの異常が検出されることにより、ふろアダプタ３のの経年的な動作不良や、ふろアダプタ３の仕様（たとえば、給湯経路を閉鎖する温度）が給湯システム１０において要求されるものとは異なることが検出され得る。
【００７３】
なお、給湯システム１０では、ふろアダプタ３が浴槽１内の溶液（湯または水）に浸らない状態で、ふろアダプタ３に関する異常が検出される。ふろアダプタ３が浴槽１内の溶液に浸っていれば、感温バネ３１６の伸長は、給湯器２から供給される湯温だけでなく、浴槽１内の溶液の温度によっても影響を受けるからである。
【００７４】
つまり、第１の実施の形態において説明されたようなふろアダプタ３の挙動の変化（状態１〜状態４）は、ふろアダプタ３が浴槽１内の溶液（湯または水）に浸っていないことが前提とされる。このことから、ふろアダプタ３が湯または水に浸った状態で高温（たとえば、８０℃）の湯が浴槽１に供給される場合（たとえば、浴槽１内に残水があり、高温差し湯によって浴槽１内の湯温を上昇させる場合）には、ふろアダプタ３では、高温差し湯に起因する感温バネ３１６の変形による流量の低下は生じない。ただし、このような場合には、浴槽１への高温の湯の供給は、正常な動作であり、ふろアダプタ３によって妨げられる必要が無い。したがって、このような場合に関しては、ふろアダプタ３が流量を低下させるか否かが検出される必要はない。
【００７５】
以上説明された第１の実施の形態では、流量センサ２３が、給湯経路内の溶液（湯または水）の流量を検出する検出部の一例である。給湯経路内の流量は、他の手段（たとえば、給湯システム１０内で溶液を循環させるポンプの電流値の変化）によって間接的に検出されてもよい。
【００７６】
［第２の実施の形態］
第２の実施の形態の給湯システム１０では、給湯器から浴槽へ湯が供給され、さらに、給湯器と浴槽との間で湯が循環される。図８は、第２の実施の形態の給湯システムの構成を示す図である。
【００７７】
（１．給湯システムの構成）
図８に示されるように、第２の実施の形態の給湯システム１０は、ふろアダプタ３の代わりに、循環アダプタ４を備える。循環アダプタ４は、浴槽１への給湯、および、浴槽１と給湯器２との間の湯の循環に利用される。循環アダプタ４と給湯器２は、管２６０によって接続される。給湯器２は、管２５０および循環アダプタ４を介して浴槽に湯を供給し、循環アダプタ４および管２６０を介して、浴槽１から湯を供給される。
【００７８】
また、第２の実施の形態の給湯システム１０において、給湯器２は、循環アダプタ４を介して戻される湯を熱交換器２１に送る管２３１と、管２３１上に設けられたポンプ２５および流量センサ２６を含む。ポンプ２５が駆動することにより、循環アダプタ４から熱交換器２１に向けて湯が送られる。管２３１上の流速は、流量センサ２６によって検出される。
【００７９】
（２．循環アダプタの構成）
循環アダプタ４は、追い焚き用の湯を浴槽１へ供給し、さらに、気泡を含む湯を浴槽１に湯を供給する。図９〜図１１を参照して、循環アダプタ４の構成を説明する。図９は、循環アダプタ４の外観を示す図である。また、図１０および図１１は、循環アダプタ４の縦断面を示す図である。
【００８０】
循環アダプタ４は、主に、アダプタヘッド４０と、アダプタ本体４１とからなる。アダプタヘッド４０は、内部流路、切替弁機構４３及び気泡発生装置５を含む構成要素を、内部に形成されている。アダプタ本体４１は、筒状の本体ハウジングを含み、後端面に配管接続部材４２および空気取り入れ部材５１を取り付けられている。アダプタヘッド４０は、浴槽１の内側に配設されている。アダプタ本体４１は、浴槽１の外側に配設されている。アダプタヘッド４０とアダプタ本体４１とは、互いにねじ込まれることにより、浴槽１に組み付けられている。
【００８１】
配管接続部材４２の一方を構成する戻り用接続部４２１は、管２６０（図８の戻り配管）の上流端に接続されている。配管接続部材４２の他方を構成する往き用接続部４２２は、管２５０（図８の往き配管）の下流端が接続されている。
【００８２】
ポンプ２５が作動されると、浴槽１内の液体（湯又は水）が循環アダプタ４及び管２６０を通して熱交換器２１に戻され、そして、管２５０及び循環アダプタ４を通して浴槽１内に吐出される、という循環流が生じる。これにより、浴槽１と熱交換器２１との間で、液体が循環される。
【００８３】
第２の実施の形態の給湯システム１０は、当該循環の際に、加熱装置２２のバーナが燃焼作動され、浴槽１内に戻される湯の温度が予め定められた温度以上になると、追い焚き運転モードに移行する。追い焚き運転モードでは、浴槽１から戻された液体が、所定温度まで加熱されることによって、追い焚きされる。一方、加熱装置２２のバーナが非燃焼状態のままであると、給湯システム１０は、気泡発生運転モードに移行する。気泡発生運転モードでは、浴槽１内の液体による循環流のみが生じる。
【００８４】
アダプタヘッド４０の前端面には、特に図９に示されるように、フィルタ部として多数の微小孔を備えた前面カバー４００が装着されている。循環アダプタ４では、前面カバー４００のフィルタ部を通して、浴槽１内の湯水が当該循環アダプタ４の内部に形成された吸い込み流路に取り込まれ、さらに、戻り用接続部４２１から戻り管２６０を通して給湯器２に送られる。また、前端の外周面には管２５０からの液体（湯または水）が、往き用接続部４２２を通して、循環アダプタ４の内部に形成された吐出流路に流入し、そして、吐出口４５３から浴槽１内に吐出される。
【００８５】
前面カバー４００の内周側領域には、開口部４７１が形成されている。開口部４７１を通して、気泡発生装置５から微細気泡を含む噴出流が放出（吐出又は噴出）される。また、切替レバー４３１の切替操作によって、内部の切替弁機構４３が作動され、内部流路が切替えられ、これにより、追い焚き運転モードと気泡発生運転モードとの切替えが行われるようになっている。
【００８６】
図１０および図１１を主に参照して、循環アダプタ４における流路の切替の原理を説明する。
【００８７】
循環アダプタ４は、ポンプ２５（図８参照）の作動により浴槽１内から液体を吸い込んで管２６０（戻り配管）に流すための吸い込み流路４４と、管２５０（往き配管）からの液体を浴槽１内にそのまま流す追い焚き吐出流路４５と、同様に管２５０からの液体（循環水）に対し微細気泡を含んだ状態で浴槽１内に噴出流として吐出させる気泡吐出流路４６と、上記管２５０からの循環水を追い焚き吐出流路４５の側に流す（追い焚き運転モード）か、気泡吐出流路４６の側に流す（気泡発生運転モード）かのいずれかに切替える切替弁機構４３とを備えている。
【００８８】
吸い込み流路４４は、図１０および図１１に矢印Ｒで示されるように、前面カバー４００の外周領域から吸い込まれた液体を合流させた後に、戻り用接続部４２１まで導くように延びている。追い焚き吐出流路４５は、図１１に矢印Ｇで示されるように、往き用接続部４２２からの循環水を分流室４５１に導いた後に開閉切替口４５２を通して前面カバー４００の下側に導き、その下側領域の外周面に開口する追い焚き吐出口４５３から浴槽１内に吐出する。
【００８９】
気泡吐出流路４６は、図１０に矢印Ｂで示すように、往き用接続部４２２からの循環水を上記分流室４５１を介して内部通路としての分流路４６１に導いた後、吐出口４６２から旋回室４６３に噴出させて旋回室４６３に旋回流を生じさせる。そして、気泡吐出流路４６は、空気吐出口５２から吸気した空気により微細気泡を生成し、旋回室４６３における循環水を当該微細気泡とともに、噴出ノズル４６４及び開口部４７１を通して、浴槽１に放出させる。
【００９０】
上記旋回室４６３は、その内周面が円筒状に形成されている。吐出口４６２は、旋回室４６３に対し接線方向に分流室４５１からの循環水を吐出させるように、構成されている。吐出口４６２からの循環水の吐出により、旋回室４６３内に噴出ノズル４６４の側に向かう旋回流が生じ、この旋回流の発生に伴い気泡発生装置５の後述の空気吐出口５２に対し負圧が作用することにより、空気吐出口５２から空気が旋回流の中心に吸気される。そして、旋回室４６３内の旋回流は、内径の絞られた噴出ノズル４６４から急拡散されることにより、微細気泡が混合した状態の噴出流として、浴槽１内に放出される。
【００９１】
切替弁機構４３は、切替軸４３２と、切替軸４３２の途中に設けられた第１切替弁４３３及び第２切替弁４３４と、第１切替弁４３３を挟んで配置された形状記憶合金製バネ４３５及びバイアスバネ４３６とを備える。切替軸４３２の前端には、切替レバー４３１が固定されている。また、切替軸４３２は、分流室４５１を突き抜けるように配置されている。
【００９２】
切替弁機構４３は、切替レバー４３１の切替操作によって、追い焚き運転モードと気泡発生運転モードとの間での切替を行なう。切替弁機構４３は、さらに、分流室４５１に供給される循環水が予め定められた温度以上であるか否かによっても、追い焚き運転モードと気泡発生運転モードとの間での切替を行なう。
【００９３】
たとえば、分流室４５１に供給される循環水の温度が追い焚き用の高温（例えば８０℃）であれば、形状記憶合金製バネ４３５が伸長する。これにより、第１切替弁４３３は、分流路４６１を遮断する。これにより、給湯システム１０は、自動的に、追い焚き運転モードに移行する。追い焚きモードでは、第２切替弁４３４が開閉切替口４５２を開放する（図１１に示す状態参照）。これにより、高温の湯が直接入浴者に向かって吐出されることが防止される。
【００９４】
一方、循環水の温度が上記の追い焚き用の高温よりも低温であれば、形状記憶合金製バネ４３５が縮小する。これにより、第１切替弁４３３が分流路４６１を開放する。これにより、これにより、給湯システム１０は、自動的に、気泡発生運転モードに移行する。気泡発生運転モードでは、第２切替弁４３４が、開閉切替口４５２を遮断する（図１０に示す状態参照）。これにより、気泡が直接入浴者に向かって吐出され、快適な気泡入浴が実現される。
【００９５】
なお、切替レバー４３１の切替操作によって切替軸４３２が回転作動されることによっても、追い焚き運転モードと気泡発生運転モードとの間の切替は実現される。
【００９６】
循環アダプタ４は、追い焚き吐出流路４５を介して浴槽１に給湯する追い焚き運転モード（図１１参照）では、気泡吐出流路４６を介して浴槽１に給湯する気泡発生運転モード（図１０参照）よりも浴槽１への湯の流速が低くなるように設計されている。つまり、循環アダプタ４は、気泡発生運転モードよりも高温の湯が供給される追い焚き運転モードでは、浴槽１への液体（湯または水）の供給を抑制する。
【００９７】
第２の実施の形態では、管２０１、熱交換器２１、管２１１、管２５０、循環アダプタ４、および、管２６０、および管２３１によって、給湯経路が構成される。当該給湯経路における液体（湯または水）の流速は、流量センサ２６によって検出される。また、循環アダプタ４内は、追い焚き運転モード（図１１参照）における給湯経路と、気泡発生運転モード（図１０参照）における給湯経路との、２つの給湯経路を含む。
【００９８】
（３．ハードウェア構成）
図１２は、第２の実施の形態の給湯システム１０のハードウェア構成の一例を示す図である。図６に示された第１の実施の形態の制御ユニット１００と同様に、第２の実施の形態の制御ユニット１００は、ＣＰＵ１０１と、入力装置１０２と、表示装置１０３と、記憶装置１０４とを備える。
【００９９】
また、第２の実施の形態では、制御ユニット１００のＣＰＵ１０１は、加熱装置２２およびポンプ２５の動作を制御し、また、流量センサ２６および温度センサ２９から検出出力を取得する。
【０１００】
（４．処理の流れ）
図１３は、第２の実施の形態の給湯システム１０において給湯器２と浴槽１との間の湯の循環の試運転のために、ＣＰＵ１０１によって実行される処理のフローチャートである。
【０１０１】
入力装置１０２に対して循環の試運転の指示が入力されると、ステップＳＡ１０で、ＣＰＵ１０１は、加熱装置２２に加熱動作を実行させることにより、追い焚きを開始する。そして、制御はステップＳＡ２０へ進められる。
【０１０２】
ステップＳＡ２０で、ＣＰＵ１０１は、ポンプ２５を駆動して、浴槽１と給湯器２との間の湯の循環を開始する。そして、制御は、ステップＳＡ３０へ進められる。
【０１０３】
ステップＳＡ３０で、ＣＰＵ１０１は、流量センサ２６によって検出される流速が第１の量以下となったか否かを判断する。そして、ＣＰＵ１０１は、当該流速が第１の量以下となったと判断すると（ステップＳＡ３０でＹＥＳ）、ステップＳＡ５０へ制御を進める。一方、ＣＰＵ１０１は、当該流速が第１の量以下となっていないと判断すると（ステップＳＡ３０でＮＯ）、ステップＳ４０へ制御を進める。
【０１０４】
ステップＳＡ４０で、ＣＰＵ１０１は、ステップＳＡ１０において追い焚きを開始してから、浴槽１と給湯器２との間で循環された液体（水または湯）の流速の積算値（流量）が予め定められた一定量に達したか否かを判断する。当該流速の積算値は、たとえば、ステップＳＡ１０の開始後の流量センサ２６の検出値の積算値である。そして、ＣＰＵ１０１は、当該積算値がまだ一定量に達していないと判断すると（ステップＳＡ４０でＮＯ）、ステップＳＡ３０へ制御を戻す。一方、ＣＰＵ１０１は、当該積算値が一定量に達したと判断すると（ステップＳＡ４０でＹＥＳ）、ステップＳＡ６０へ制御を進める。
【０１０５】
ステップＳＡ５０で、ＣＰＵ１０１は、ふろ試運転の結果が正常であることを報知して、ステップＳＡ７０へ制御を進める。
【０１０６】
ステップＳＡ６０で、ＣＰＵ１０１は、ふろ試運転の結果が異常であることを報知して、ステップＳＡ７０へ制御を進める。ステップＳＡ６０による報知は、異常用制御の一例である。
【０１０７】
ステップＳＡ７０で、ＣＰＵ１０１は、ステップＳＡ１０で開始した追い焚きを終了させる。これにより、図１３の処理が終了する。
【０１０８】
図１３の処理は、切替弁機構４３の切替レバー４３１が気泡発生運転モードに対応する状態にされた状況下で実行される。図１３の処理では、追い焚きが実行される。そして、浴槽１と給湯器２との間で一定量の湯が循環されるまでに、給湯流路内の流速が第１の量まで低下すれば、試運転の結果が正常であると判断される。なお、給湯流路内の流速が第１の量以下に低下することは、図１１に示されたように、形状記憶合金製バネ４３５が伸長することに対応する。つまり、追い焚きが実行されたときに、形状記憶合金製バネ４３５が追い焚き用の高温の湯によって伸長すれば、試運転の結果が正常であると判断される。
【０１０９】
一方、浴槽１と給湯器２との間で一定量の湯が循環されるまでに、給湯流路内の流速が第１の量まで低下しなければ、試運転の結果が異常であると判断される。つまり、追い焚きが実行されたときに、形状記憶合金製バネ４３５が追い焚き用の高温の湯によって伸長しなければ、試運転の結果が異常であると判断される。
【０１１０】
第１の実施の形態では、ふろアダプタ３の挙動の変化は、ふろアダプタ３が浴槽１内の溶液（湯または水）に浸っていないことが前提とされた。一方、第２の実施の形態では、循環アダプタ４は、当該循環アダプタ３が浴槽内の溶液（湯または水）に浸っている状態であっても、給湯器２から供給される湯が高温であれば、形状記憶合金製バネ４３５の伸長によって、吐出口４５３を介して湯を吐出する。第２の実施の形態では、浴槽１と給湯器２の間で循環アダプタ４を介して溶液が循環される状態、つまり、循環アダプタ４が溶液に浸った状態が前提とされるからである。
【０１１１】
以上説明された第２の実施の形態では、流量センサ２６が、給湯経路内の溶液（湯または水）の流量を検出する検出部の一例である。給湯経路内の流量は、他の手段（たとえば、ポンプ２５の電流値の変化、および／または、温度センサ２９の温度変化の勾配）によって間接的に検出されてもよい。
【０１１２】
［第３の実施の形態］
第３の実施の形態の給湯システム１０の構成は、図１〜図６に示された第１の実施の形態の給湯システム１０の構成と同様である。そして、第３の実施の形態の給湯システム１０では、第１の実施の形態の試運転における判定（図７のステップＳ７０〜ステップＳ９０）が、湯張り動作の開始時に実行される。
【０１１３】
より具体的には、第３の実施の形態の給湯システム１０では、湯張り量および湯張り温度が設定される。湯張り量とは、浴槽１に自動的に供給される湯量である。そして、給湯システム１０は、湯張りの実行を指示されると、設定された量の湯を自動的に浴槽１へ供給する。そして、当該設定された量の湯の供給において、給湯システム１０は、試運転における判定（図７のステップＳ７０〜ステップＳ９０）のために、最初の一定量（たとえば、２０Ｌ）を、予め定められた温度（たとえば、８０℃）で、供給する。そして、当該一定量の湯を供給する間、給湯システム１０は、所定回数以上、給湯経路内の流速が第１の量以下となったかどうかを判断する。
【０１１４】
所定回数以上、当該流速が第１の量以下となった場合には、給湯システム１０は、上記設定された量の湯の供給が終了するまで、浴槽１への給湯を行なう。なお、供給される残りの湯の温度は、既に一定量の予め定められた温度の湯が浴槽１に供給されていることを考慮して設定される。たとえば、湯張り量が１００Ｌであり、かつ、湯張り温度が４０℃である場合には、８０℃の湯が２０Ｌ供給された後、３０℃の湯が８０Ｌ供給される。
【０１１５】
一方、上記判定において流速が第１の量以下となった回数が所定回数未満であれば、給湯システム１０は、異常用制御として、湯張りを中断しかつ異常を報知する。
【０１１６】
図１４は、第３の実施の形態の湯張りのためにＣＰＵ１０１によって実行される処理のフローチャートである。
【０１１７】
入力装置１０２（図６参照）において湯張りを指示されると、ＣＰＵ１０１は、ステップＳ１２で、湯張り量と湯張り温度の設定値を特定する。これらの設定値は、予め定められていてもよいし、入力装置１０２を介して入力されてもよい。そして、制御はステップＳ２０へ進められる。
【０１１８】
ステップＳ２０で、ＣＰＵ１０１は、電磁弁２４を開くことにより、浴槽１への給湯を開始する。そして、制御は、ステップＳ３０へ進められる。
【０１１９】
ステップＳ３０で、ＣＰＵ１０１は、流量センサ２３によって検出される流速が、第１の量以下となったか否かを判断する。ＣＰＵ１０１は、当該流速が第１の量以下となったと判断すると（ステップＳ３０でＹＥＳ）、ステップＳ４０へ制御を進める。一方、ＣＰＵ１０１は、当該流速が第１の量を超えていると判断すると（ステップＳ３０でＮＯ）、ステップＳ５２へ制御を進める。
【０１２０】
ステップＳ４０で、ＣＰＵ１０１は、記憶装置１０４内の「最低注湯量回数」のカウンタのカウント値を１加算更新する。そして、制御は、ステップＳ５２へ進められる。なお、図１４の処理の開始時には、当該カウンタのカウント値は「０」に初期化されている。
【０１２１】
ステップＳ５２で、ＣＰＵ１０１は、浴槽１に、一定量の湯が供給されたか否かを判断する。ＣＰＵ１０１は、一定量の湯が供給されたと判断すると（ステップＳ５２でＹＥＳ）、ステップＳ７２へ制御を進める。一方、ＣＰＵ１０１は、まだ一定量の湯が供給されていないと判断すると（ステップ５２でＮＯ）、ステップＳ６０へ制御を進める。
【０１２２】
ステップＳ６０で、ＣＰ１０１は、流量センサ２３によって検出された流速が第２の量以上となったか否かを判断する。ＣＰＵ１０１は、当該流速が第２の量以上となったと判断すると（ステップＳ６０でＹＥＳ）、ステップＳ３０へ制御を戻す。一方、ＣＰＵ１０１は、まだ当該流速が第２の量に達していないと判断すると（ステップＳ６０でＮＯ）、ステップＳ５２へ制御を戻す。
【０１２３】
ステップＳ７２で、ＣＰＵ１０１は、最低注湯量回数のカウント値が、所定値以上であるか否かを判断する。ＣＰＵ１０１は、当該カウンタのカウント値が所定値以上であると判断すると（ステップＳ７２でＹＥＳ）、ステップＳ８２へ制御を進める。一方、ＣＰＵ１０１は、当該カウント値が所定値未満であると判断すると（ステップＳ７２でＮＯ）、ステップＳ９２へ制御を進める。
【０１２４】
ステップＳ８２で、ＣＰＵ１０１は、残りの量の湯を浴槽１に供給して、湯張りを終了させる。なお、残りの量の湯の温度は、上記したように、既に一定量の予め定められた温度の湯が浴槽１に供給されていることを考慮して設定される。
【０１２５】
ステップＳ９２で、ＣＰＵ１０１は、湯張りを中断しかつ異常を報知する。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２６】
１  浴槽、２  給湯器、３  ふろアダプタ、４  循環アダプタ、５  気泡発生装置、１０  給湯システム、２１  熱交換器、２２  加熱装置、２３，２６  流量センサ、２４  電磁弁、２５  ポンプ、２９  温度センサ、３０  カバー、３１，４１  アダプタ本体、３２  連通ノズル、４０  アダプタヘッド、４２  配管接続部材、４３  切替弁機構、３１３  止水弁、３１５，４３６  バイアスバネ、３１６  感温バネ、４３５  形状記憶合金製バネ。
【図１】
2016200332.tif 000003
【図２】
2016200332.tif 000004
【図３】
2016200332.tif 000005
【図４】
2016200332.tif 000006
【図５】
2016200332.tif 000007
【図６】
2016200332.tif 000008
【図７】
2016200332.tif 000009
【図８】
2016200332.tif 000010
【図９】
2016200332.tif 000011
【図１０】
2016200332.tif 000012
【図１１】
2016200332.tif 000013
【図１２】
2016200332.tif 000014
【図１３】
2016200332.tif 000015
【図１４】
2016200332.tif 000016